(57)【要約】【課題】組立て性に優れるとともに楽器全体の小型化を図ることのできる電子鍵盤楽器及び電子鍵盤楽器の製造方法を提供する。【解決手段】複数の鍵２１を備える鍵盤ユニット２と、鍵盤ユニット２を収容するとともに、鍵盤ユニット２の前側に位置する前面板５２と鍵盤ユニット２の後側に位置する背面板５１とを有する上部ケース５と、前面板５２の上下方向の幅Ｗ１よりも長い第１間隔Ｗ２で複数のねじ孔６３１，６４１が設けられた電子部品６と、を備え、背面板５１には、前記貫通孔を通して前記第１電子部品をねじで固定するためのねじ孔５１１ａ，５１２ａを有するボス部５１１，５１２が、第１間隔Ｗ２で上下方向に離間して複数設けられ、複数のねじ孔５１１ａ，５１２ａそれぞれのねじ締め方向Ｄの延長線上に前面板５２が位置しないような位置関係で、上部ケース５における前面板５２と複数のボス部５１１，５１２が設けられている。【選択図】図２
2020064194.tif 000002
【特許請求の範囲】
【請求項１】
複数の鍵を備える鍵盤ユニットと、
前記鍵盤ユニットを収容するとともに、前記鍵盤ユニットの前側に位置する前面板と、前記鍵盤ユニットの後側に位置する背面板とを有する第１ケースと、
前記前面板の上下方向の幅よりも長い第１間隔で複数の貫通孔が設けられた第１電子部品と、
を備え、
前記背面板には、前記貫通孔を通して前記第１電子部品をねじで固定するためのねじ孔を有する部品固定部が、前記第１間隔で上下方向に離間して複数設けられ、
複数の前記ねじ孔それぞれのねじ締め方向の延長線上に前記前面板が位置しないような位置関係で、前記第１ケースにおける前記前面板と複数の前記部品固定部が設けられている、
電子鍵盤楽器。
【請求項２】
前記第１ケースは上部ケースであり、前記上部ケースの下側に嵌合される下部ケースである第２ケースをさらに備え、
前記第１ケースは、前記複数の鍵を露出させる第１開口部と、前記第２ケースを嵌合させる嵌合部に設けられた第２開口部と、を有し、
前記前面板は、前記第１開口部における前記鍵盤ユニットの前端側から垂設されており、
前記前面板の下部は、前記嵌合部の一部を構成し、
複数の前記部品固定部のうちの下側に位置する前記部品固定部の前記ねじ孔のねじ締め方向の延長線上よりも、前記前面板の下部が上に位置し、
複数の前記部品固定部のうちの上側に位置する前記部品固定部の前記ねじ孔のねじ締め方向の延長線上よりも、前記前面板の上部が下に位置するように、前記第１ケースが構成されている、
請求項１に記載の電子鍵盤楽器。
【請求項３】
前記嵌合部で形成される嵌合面に対して垂線を設定した場合に当該垂線に対して前記背面板が傾斜して設けられている、
請求項２に記載の電子鍵盤楽器。
【請求項４】
前記第２ケースにおける前記第１ケースとの嵌合部は、前側の嵌合部が後側の嵌合部よりも高い位置となるように、前記第２ケースが構成されている、
請求項２又は請求項３に記載の電子鍵盤楽器。
【請求項５】
複数の前記部品固定部それぞれのねじ孔におけるねじ締め方向は、同一方向である、
請求項１から４のいずれか一項に記載の電子鍵盤楽器。
【請求項６】
複数の前記部品固定部それぞれのねじ孔におけるねじ締め方向は、前記背面板に対して直交する方向である、
請求項５に記載の電子鍵盤楽器。
【請求項７】
前記第１電子部品は、スピーカである、請求項１から請求項６のいずれか一項に記載の電子鍵盤楽器。
【請求項８】
前記第１電子部品は、回路基板である、請求項１から請求項６のいずれか一項に記載の電子鍵盤楽器。
【請求項９】
回路基板である第２電子部品をさらに有し、
前記第１電子部品と前記第２電子部品は、少なくとも一部が重なり合って重畳配置され、
前記重畳方向の手前側に配置される前記第２電子部品には、前記重畳方向の奥側に配置される前記第１電子部品における前記部品固定部に対応する部分に挿通部が形成されている請求項１から請求項８のいずれか一項に記載の電子鍵盤楽器。
【請求項１０】
複数の鍵を備える鍵盤ユニットと、前面板と背面板とを有する枠状の第１ケースと、前記前面板の上下方向の幅よりも広い第１間隔で複数の貫通孔が設けられた第１電子部品と、を備える電子鍵盤楽器の製造方法であって、
前記背面板には、前記貫通孔を通して前記第１電子部品をねじで固定するためのねじ孔を有する部品固定部が、前記第１間隔で上下方向に分散して複数設けられ、
複数の前記ねじ孔それぞれのねじ締め方向の延長線上に前記前面板が位置しないように、前記第１ケースが構成されており、
前記電子鍵盤楽器の組み立て時において、
複数の前記部品固定部それぞれのねじ孔に挿入されるねじに対して、前記第１ケースの外部から直線的にねじ締め機でアクセスしてねじ締めを行う、
電子鍵盤楽器の製造方法。
【発明の詳細な説明】
【技術分野】
【０００１】
本発明は、電子鍵盤楽器及び電子鍵盤楽器の製造方法に関するものである。
【背景技術】
【０００２】
従来、電子鍵盤楽器は、樹脂等で形成された楽器ケース内に鍵盤ユニットを収納することで形成されている。
例えば特許文献１には、鍵盤ユニット（特許文献１において鍵盤部）を収納する楽器ケース（特許文献１において筐体）が筐体本体部と筐体後部とで構成され、筐体本体部に対して筐体後部が着脱式に取り付けられる構成が開示されている。
【先行技術文献】
【特許文献】
【０００３】
【特許文献１】特開２００４−１７１０３８号公報
【発明の概要】
【発明が解決しようとする課題】
【０００４】
しかしながら、特許文献１に記載の構成では、筐体本体部は、鍵盤部が載置される底板部と、鍵盤部の前で底板部から立ち上がる口棒部と、鍵盤部の左右側で底板部から立ち上がる左右の側板部とを含み、これら底板部、側板部及び口棒部はねじ等適宜の接合手段を介して相互に接合固定される。また、筐体後部は、筐体の後方上面を構成する屋根板部と、屋根板部の後縁から立ち下がる背面板部とを含み、屋根板部と背面板部はねじ等適宜の接合手段を介して相互に接合固定される。
【０００５】
このため、楽器ケース（筐体）全体を構成する部品点数が多く、ねじ等によって接合する箇所が多くなる。
そして、側方から側板部を接合し、上側から屋根板部を接合するというように、ねじ締め方向もまちまちであるため、一方向から一括してねじ締めを行う等は難しく、組み立てに時間と手間を要する。
また、接合箇所が表に現れると、電子鍵盤楽器の外観を損なうおそれもある。
【０００６】
また、このような複数の部品で構成された筐体本体部と筐体後部とを着脱可能に一体化させて楽器ケース（筐体）を構成した場合、十分な強度を確保できないおそれもある。
特に、アコースティックのピアノの打鍵感を再現するため、鍵盤ユニットにハンマー部材が組み込まれている場合には、鍵盤ユニットの重量も重くなり、これを収納する楽器ケース（筐体）には、より一層の強度が要求される。
【０００７】
さらに、どこにでも置くことができて取り扱いの容易な楽器とするためには、電子鍵盤楽器全体をできるだけ小型化することが求められる。
この点、基板やスピーカ等の電子部品をねじ止め等のしやすい位置に配置すると、広い空間が必要となり、楽器の小型化が難しいという問題もある。
特に、鍵盤ユニットがハンマー部材を備える場合には、ハンマー部材が回動するための空間を確保する必要があり、ハンマー部材に干渉しないように電子部品を配置しなければならないため、より効率的な実装の工夫が必要となる。
【０００８】
本発明は以上のような事情に鑑みてなされたものであり、組立て性に優れるとともに楽器全体の小型化を図ることのできる電子鍵盤楽器及び電子鍵盤楽器の製造方法を提供することを目的とするものである。
【課題を解決するための手段】
【０００９】
前記課題を解決するために、本発明に係る電子鍵盤楽器は、
複数の鍵を備える鍵盤ユニットと、
前記鍵盤ユニットを収容するとともに、前記鍵盤ユニットの前側に位置する前面板と、前記鍵盤ユニットの後側に位置する背面板とを有する第１ケースと、
前記前面板の上下方向の幅よりも長い第１間隔で複数の貫通孔が設けられた第１電子部品と、
を備え、
前記背面板には、前記貫通孔を通して前記第１電子部品をねじで固定するためのねじ孔を有する部品固定部が、前記第１間隔で上下方向に離間して複数設けられ、
複数の前記ねじ孔それぞれのねじ締め方向の延長線上に前記前面板が位置しないような位置関係で、前記第１ケースにおける前記前面板と複数の前記部品固定部が設けられていることを特徴としている。
【発明の効果】
【００１０】
本発明によれば、組立て性に優れるとともに楽器全体の小型化を図ることができるという効果を奏する。
【図面の簡単な説明】
【００１１】
【図１】本実施形態における電子鍵盤楽器の斜視図である。
【図２】図１に示す電子鍵盤楽器の分解斜視図である。
【図３】（ａ）は、図２における上部ケースから電子部品を取り外した状態を示す斜視図であり、（ｂ）は、上部ケースから取り外された電子部品を示す斜視図である。
【図４】本実施形態における上部ケースの正面図である。
【図５】（ａ）は、図４において一点鎖線で囲んだａ部分の拡大図であり、（ｂ）は、図４において一点鎖線で囲んだｂ部分の拡大図であり、（ｃ）は、図４において一点鎖線で囲んだｃ部分の拡大図である。
【図６】（ａ）は、主回路基板及びこれを取り付ける背面板を示す要部分解斜視図であり、（ｂ）は、スピーカ及びこれを取り付ける背面板を示す要部分解斜視図である。
【図７】（ａ）は、図５（ｃ）の矢視VII方向から見た本実施形態における上部ケースの模式的な側面図であり、（ｂ）は、（ａ）に示す上部ケースに下部ケースを接合させた状態を示す模式的な側面図である。
【図８】本実施形態における電子鍵盤楽器の背面図であり、左右方向の一部を切り欠いて内部構成を示したものである。
【図９】図８において切り欠いて示した電子鍵盤楽器の背面側の構成を拡大した要部斜視図である。
【図１０】本実施形態における第２基板と第３基板との重なり合いを示す要部平面図である。
【発明を実施するための形態】
【００１２】
図１から図１０を参照しつつ、本発明に係る電子鍵盤楽器の一実施形態について説明する。本実施形態では、電子鍵盤楽器が電子ピアノやキーボード等である場合を例として説明する。
なお、以下に述べる実施形態には、本発明を実施するために技術的に好ましい種々の限定が付されているが、本発明の範囲を以下の実施形態及び図示例に限定するものではない。
【００１３】
図１は、本実施形態における電子鍵盤楽器の斜視図であり、図２は、図１に示す電子鍵盤楽器の分解斜視図である。なお、本実施形態において、上下、左右及び前後は図１及び図２に示した向きをいうものとする。
図１及び図２に示すように、本実施形態の電子鍵盤楽器１は、複数の鍵２１を備える鍵盤ユニット２と、鍵盤ユニット２が配置される下部ケース３と、鍵盤ユニット２を収容する空間を有し、下部ケース３の上に配置される上部ケース５と、を備えている。
【００１４】
鍵盤ユニット２は、白鍵及び黒鍵からなる複数の鍵２１を備えている。
鍵２１は、鍵シャーシ２２に組み付けられており、電子鍵盤楽器１の長手方向（図１及び図２に示す左右方向）に並行に配列されている。各鍵２１の後端部は図示しない支持部に支持されており、打鍵時に上下方向に回動又は揺動可能となっている。
本実施形態において、この複数の鍵２１にはそれぞれ図示しないハンマー部材が設けられている。打鍵時にハンマー部材が回動することにより鍵２１にアクション荷重が付与され、アコースティックのピアノのような鍵タッチ感を再現できるように構成されている。なお、鍵盤ユニット２はハンマー部材を備えるものに限定されない。
【００１５】
下部ケース３及び上部ケース５は、後述するように、互いの嵌合部Ｓｕ，Ｓｂ（図２及び図７（ｂ）参照）において嵌め合わされ、ねじ止め固定等により一体化されることによって、電子鍵盤楽器１の外装部分となる楽器ケース３０を構成する。
本実施形態において、下部ケース３及び上部ケース５は、例えばポリスチレン (polystyrene)（ＰＳ）やＡＢＳ樹脂（アクリロニトリル・ブタジエン・スチレン共重合合成樹脂）等の各種樹脂によってそれぞれ一体的に形成されている。下部ケース３及び上部ケース５を形成する手法は特に限定されないが、例えば金型を用いた一体成型等により形成される。
このように、下部ケース３及び上部ケース５をそれぞれ一体的に形成することにより、楽器ケース３０を簡易に製造できるとともに、部材間の継ぎ目が下部ケース３と上部ケース５との接合部分（後述する嵌合部Ｓｕ，Ｓｂ、図６（ｂ）参照）以外には表に現れず、美しい外観に仕上げることができる。
【００１６】
下部ケース３は、ほぼ平板状に構成されており、上面に鍵盤ユニット２が配置される。
下部ケース３は、上部ケース５の下側に嵌合される第２ケースである。
図２に示すように、下部ケース３の外周縁は上部ケース５と嵌合する嵌合部Ｓｂとなっている。本実施形態では、下部ケース３の外周に外向きのフランジが形成されており、このフランジ部分が嵌合部Ｓｂとなっている。なお、嵌合部Ｓｂの形状や配置は図示例に限定されない。
嵌合部Ｓｂには、上方向に突出し内部に下部ケース３の表裏に貫通する孔が形成されたボス部３１が、下部ケース３の外周縁に沿って複数設けられている。また、嵌合部Ｓｂにおける下部ケース３の前側の端縁部分には、下部ケース３の表裏に貫通するねじ孔３２が複数形成されている。なお、ボス部３１やねじ孔３２の設けられる位置や数は特に限定されず、図示例に限られない。
本実施形態において、上部ケース５の下面側（裏面側、下部ケース３との接合側）は、後述するように、下部ケース３と嵌合する嵌合部Ｓｕとなっている。上部ケース５の嵌合部Ｓｕには、下部ケース５の嵌合部Ｓｂに設けられているボス部３１及びねじ孔３２に対応する位置に図示しないねじ孔が形成されている。そして、ボス部３１にはねじ７１が、ねじ孔３２にはねじ７２が、それぞれ下部ケース３の下面側（電子鍵盤楽器１の底面側）から挿通され、上部ケース５側の嵌合部Ｓｕのねじ孔に螺着されることにより、これらねじ７１及びねじ７２によって、下部ケース３と上部ケース５とがねじ止め固定されるようになっている。
【００１７】
また、下部ケース３において鍵盤ユニット２が配置される部分には、下部ケース３の表裏に貫通するねじ孔３３が形成されている。鍵盤ユニット２にはこのねじ孔３３に対応する位置に図示しないねじ孔が形成されており、このねじ孔３３に上方向及び下方向の少なくとも一方からねじ７３が挿通され、鍵盤ユニット２側のねじ孔に螺着されることにより、鍵盤ユニット２が下部ケース３上にねじ止め固定されるようになっている。なお、ねじ孔３３の設けられる位置や数は特に限定されず、図示例に限られない。
さらに、下部ケース３の上面には複数の補強リブ３５が形成されており、下部ケース３の剛性を高めるように構成されている。
【００１８】
上部ケース５は、ほぼ枠状に一体的に形成されており、下部ケース３の上に配置される第１ケースである。
図３（ａ）は、上部ケース単体を示す斜視図である。また、図３（ｂ）は、上部ケース５に組付けられる各種電子部品を示す斜視図である。
上部ケース５は、鍵盤ユニット２を収容するとともに、図２及び図３（ａ）に示すように、鍵盤ユニット２の後側に位置する第１の板状部としての背面板５１と、鍵盤ユニット２の前側に位置する第２の板状部としての前面板５２とを有している。
背面板５１は電子鍵盤楽器１の後ろ側の面を構成し、前面板５２は電子鍵盤楽器１の前側の面を構成しており、背面板５１と前面板５２とは、互いに対向している。本実施形態において、背面板５１と前面板５２との対向方向は、楽器本体の奥行方向（図１及び図２における前後方向）である。
なお、前面板５２は、上部ケース５が下部ケース３の上部に組み付けられた際に鍵盤ユニット２の鍵２１の前側に配置され、ピアノにおける口棒として機能する。
また、上部ケース５の両側部は、側面部５３となっている。
さらに、上部ケース５の上側には、背面板５１の上端部から楽器前方に向かって延出する上面板５４が設けられている。
上面板５４は、組立て状態において下部ケース３の上に配置された鍵盤ユニット２の後部側上面を覆うようになっている。
【００１９】
また、第１ケースである上部ケース５は、複数の鍵２１を露出させる第１開口部５６と、第２ケースである下部ケース３を嵌合させる嵌合部Ｓｕと、を有している。嵌合部Ｓｕが設けられている上部ケース５の下面側は、第２開口部５７となっている。
前面板５２は、第１開口部５６における鍵盤ユニット２の前端側から垂設されている。また、前面板５２の下部は、嵌合部Ｓｕの一部を構成し、前述のように、下部ケース３の嵌合部Ｓｂのねじ孔３２に対応する位置に図示しないねじ孔が形成されている。
【００２０】
本実施形態において、背面板５１の内側面の左右方向におけるほぼ中央部分には、制御用のＣＰＵや楽音信号生成部（音源）等を搭載した電子部品６（第１電子部品、図３（ｂ）参照）としての第１基板６３（これを主回路基板６３ａという。）が設けられている。
また、背面板５１の内側面の左右方向における両端部には、放音部が背面側を向くような向きで電子部品６（図３（ｂ）参照）としてのスピーカ６４が配置されている。背面板５１においてスピーカ６４に対応する位置には、スピーカ放音孔５１３（図３（ａ）参照）が形成されており、演奏者が鍵盤ユニット２の各鍵２１を打鍵操作すると、その打鍵操作に応じた楽音がスピーカ６４から出力され、スピーカ放音孔５１３を通して楽器ケース３０の外に放音される。
各スピーカ６４は、ケーブル６５を介して主回路基板６３ａと電気的に接続されている。
図２等に示すように、本実施形態では、主回路基板６３ａ及びスピーカ６４を立てた状態で配置している。このため、電子鍵盤楽器１における奥行き方向（図１及び図２における前後方向）の省スペース化を図り、電子鍵盤楽器１の小型化を実現することができる。
【００２１】
図３（ａ）に示すように、背面板５１における左右方向のほぼ中央部分であって主回路基板６３ａの配置されている位置に対応する部分には、部品固定部としてのボス部５１１が上下方向に離間して複数設けられている。
また、背面板５１における左右方向の両端部であって左右一対のスピーカ６４の配置されている位置に対応する部分には、部品固定部としてのボス部５１２が上下方向に離間して複数設けられている。
本実施形態において部品固定部としてのボス部５１１及びボス部５１２は、背面板５１の面方向に直交する楽器の前方に向かって突出して形成されており、内部にねじ孔（ボス部５１１内のねじ孔５１１ａ及びボス部５１２内のねじ孔５１２ａ）が形成されたねじ止め固定部である。本実施形態では、ボス部５１１内のねじ孔５１１ａに、ねじ６７が挿入され、ボス部５１２のねじ孔５１２ａにねじ６８が挿入される。ねじ締めにおける各ねじ６７，６８の挿入方向は、ボス部５１１（及びそのねじ孔５１１ａ）及びボス部５１２（及びそのねじ孔５１２ａ）の突出方向に応じて、楽器の前方から後方に向かうねじ締め方向Ｄ（図６（ａ）及び図６（ｂ）参照）となっている。
【００２２】
ここで、図４から図７（ａ）及び図７（ｂ）を参照しつつ、本実施形態における上部ケース５、下部ケース３、及び上部ケース５に組付けられる電子部品６の構成について詳細に説明する。
図４は、本実施形態における上部ケースの正面図であり、図５（ａ）から図５（ｃ）は、図４において一点鎖線で囲むａ部分，ｂ部分，ｃ部分をそれぞれ拡大した要部拡大図である。
図１等に示すように、本実施形態において、上部ケース５は、側面視において背面板５１から前面板５２に向かって細くなるように、背面板５１よりも前面板５２の方が上下方向の幅が小さく形成されている。
すなわち、背面板５１の上下方向（背面板５１における短幅方向）の幅は、鍵盤ユニット２の上下方向の幅と同じかこれよりも広くなるように形成され、背面板５１が鍵盤ユニット２の後端部全体を覆うようになっており、前面板５２の上下方向（前面板５２における短幅方向）の幅（図５（ａ）、図５（ｂ）等において幅Ｗ１）は、鍵盤ユニット２の鍵２１の前側下部に被さる程度の幅に形成されている。
【００２３】
このように、前面板５２における上下方向（短幅方向）の幅Ｗ１が背面板５１における上下方向（短幅方向）の幅よりも短く形成されていることにより、図４及び図５（ａ）から図５（ｃ）に示すように、楽器本体の前方から前面板５２及び背面板５１を見たときに、背面板５１の上下に、対向方向において前面板５２と重なり合わない部分が生ずる。
本実施形態におけるボス部５１１及びボス部５１２は、背面板５１のうち、第１の板状部である背面板５１及び第２の板状部である前面板５２を対向方向から見たときに前面板５２と重なり合わない位置に設けられている。
具体的には、ボス部５１１及びボス部５１２は、前面板５２の上下方向の幅Ｗ１（すなわち、短幅方向の長さ）よりも長い間隔をあけて、前面板５２を短幅方向に（すなわち、電子鍵盤楽器１の上下方向に）挟むような位置に配置されている。
これにより、上部ケース５は、電子部品６の組付け時において、部品固定部に対して、外部から直線的にアクセス可能となるように構成されている。
【００２４】
図３（ｂ）に示すように、主回路基板６３ａには、ボス部５１１に対応して貫通孔であるねじ孔６３１が形成されており、ねじ孔６３１からねじ６７を挿通し背面板５１のボス部５１１のねじ孔５１１ａに螺着させることにより、ねじ６７によって、背面板５１に主回路基板６３ａがねじ止め固定されるようになっている（図４及び図５（ｂ）参照）。
また、スピーカ６４には、ボス部５１２に対応して貫通孔であるねじ孔６４１が形成されており、ねじ孔６４１からねじ６８を挿通し背面板５１のボス部５１２のねじ孔５１２ａに螺着させることにより、ねじ６８によって、背面板５１にスピーカ６４がねじ止め固定されるようになっている（図４、図５（ａ）及び図５（ｃ）参照）。
なお、ボス部５１１及びボス部５１２の設けられる位置や数は特に限定されず、図示例に限られない。
【００２５】
図６（ａ）は、主回路基板とこれを取り付ける背面板を示す要部分解斜視図であり、図６（ｂ）は、スピーカとこれを取り付ける背面板を示す要部分解斜視図である。なお、図６（ａ）及び図６（ｂ）において、ねじ締め方向Ｄを一点鎖線で示している。
なお、本実施形態において、複数の部品固定部（ボス部５１１及びボス部５１２）及びそれぞれのねじ孔（ねじ孔５１１ａ及びねじ孔５１２ａ）におけるねじ締め方向は、同一方向（ねじ締め方向Ｄ）となっている。
本実施形態では、複数のねじ孔５１１ａ，５１２ａそれぞれのねじ締め方向Ｄの延長線上に前面板５２が位置しないような位置関係で、上部ケース５における前面板５２と複数の部品固定部（ボス部５１１及びボス部５１２）が設けられている。
具体的には、以下の構成となっている。
【００２６】
図６（ａ）に示すように、主回路基板６３ａの貫通孔６３１とこれに対応するボス部５１１（ボス部５１１のねじ孔５１１ａ）のうち、背面板５１の上側に配置される貫通孔６３１及びボス部５１１（ねじ孔５１１ａ）と背面板５１の下側に配置される貫通孔６３１及びボス部５１１（ねじ孔５１１ａ）とは、前面板５２の上下方向の幅Ｗ１よりも長い第１間隔Ｗ２で配置されている。
すなわち、ねじ締め時において、貫通孔６３１とこれに対応するボス部５１１（ねじ孔５１１ａ）とは、ねじ締め方向Ｄに沿って直線的に配置され、これに対してねじ締め方向Ｄに沿ってねじ６７が挿通される。
このため、ねじ６７、貫通孔６３１、ボス部５１１（ねじ孔５１１ａ）の中心は、図６（ａ）に示すようにねじ締め方向Ｄに沿って直線的に配置され、背面板５１の上側に配置される貫通孔６３１、ボス部５１１（ねじ孔５１１ａ）及びこれに挿通されるねじ６７と、背面板５１の下側に配置される貫通孔６３１、ボス部５１１（ねじ孔５１１ａ）及びこれに挿通されるねじ６７とは、いずれもそれぞれ第１間隔Ｗ２を開けて上下方向に離間配置される。
【００２７】
また、図６（ｂ）に示すように、スピーカ６４の貫通孔６４１とこれに対応するボス部５１２（ボス部５１２のねじ孔５１２ａ）のうち、背面板５１の上側に配置される貫通孔６４１及びボス部５１２（ねじ孔５１２ａ）と背面板５１の下側に配置される貫通孔６４１及びボス部５１２（ねじ孔５１２ａ）とは、前面板５２の上下方向の幅Ｗ１よりも長い第１間隔Ｗ２で配置されている。
すなわち、ねじ締め時において、貫通孔６４１とこれに対応するボス部５１２（ねじ孔５１２ａ）とは、ねじ締め方向Ｄに沿って直線的に配置され、これに対してねじ締め方向Ｄに沿ってねじ６８が挿通される。
このため、ねじ６８、貫通孔６４１、ボス部５１２（ねじ孔５１２ａ）の中心は、図６（ｂ）に示すようにねじ締め方向Ｄに沿って直線的に配置され、背面板５１の上側に配置される貫通孔６４１、ボス部５１２（ねじ孔５１２ａ）及びこれに挿通されるねじ６８と、背面板５１の下側に配置される貫通孔６４１、ボス部５１２（ねじ孔５１２ａ）及びこれに挿通されるねじ６８とは、いずれもそれぞれ第１間隔Ｗ２を開けて上下方向に離間配置される。
【００２８】
次に、図７（ａ）及び図７（ｂ）を参照しつつ、上部ケース５の背面板５１及び前面板５２の関係について詳説する。
図７（ａ）は、上部ケースの側面図であり、図７（ｂ）は、上部ケースに下部ケースを嵌合させた状態を示す側面図である。
本実施形態では、図７（ｂ）に示すように、上部ケース５の上面板５４や側面部５３の上面で構成される楽器ケースの上面３０ａと下部ケース３の底面で構成される楽器ケースの下面３０ｂとが、上部ケース５と下部ケース３とを嵌合させた状態においてほぼ平行となっている。
また、図７（ａ）及び図７（ｂ）に示すように、上部ケース５の背面板５１及び前面板５２は、楽器ケース３０の上面３０ａに対してほぼ垂直（すなわち、上面３０ａに対して背面板５１及び前面板５２のなす角度はいずれもほぼ直角）となっている。
さらに、背面板５１と前面板５２とはほぼ平行に設けられている。
【００２９】
また、図７（ｂ）に示すように、上部ケース５の嵌合部Ｓｕで構成される嵌合面Ｓｆ（上部ケース５において第２開口部５７が設けられている下側の面）に対して垂線Ｐｌを設定した場合に、背面板５１はこの垂線Ｐｌに対して角度θだけ楽器の前側に傾斜して設けられている。なお、角度θの大きさは特に限定されない。また、背面板５１はこの垂線Ｐｌに対して傾斜していればよく、楽器の前側に傾いている場合には限定されない。
さらに、本実施形態では、第２ケースである下部ケース３における第１ケースである上部ケース５との嵌合部Ｓｂにおいて、前側の嵌合部Ｓｂが後側の嵌合部Ｓｂよりも高い位置となるように、下部ケース３が構成されている。これにより前述のように、楽器本体の前方から前面板５２及び背面板５１を見たときに、背面板５１の下部分に、対向方向において前面板５２と重なり合わない部分が生ずる。
また、本実施形態では、複数の部品固定部（ボス部５１１及びボス部５１２）それぞれのねじ孔（ねじ孔５１１ａ及びねじ孔５１２ａ）におけるねじ締め方向Ｄは、図７（ａ）に示すように、背面板５１に対してほぼ直交する方向となっている。
【００３０】
また、背面板５１には、各種のジャックや外部機器との間でデータの授受を行うミディ（ＭＩＤＩ）端子等のコネクタ端子８が、楽器ケース３０の外部に露出するように設けられている。これら各種コネクタ端子８は、楽器ケース３０の内部に設けられた基板６３に取り付けられ、電気的に接続されている。
本実施形態では、図３（ｂ）に示すように、主回路基板６３ａにフラットケーブル６６を介して電子部品６（回路基板である第２電子部品、図３（ｂ）参照）としての第３基板６３（これをコネクタ基板６３ｃという。）が電気的に接続されており、コネクタ端子８は、主回路基板６３ａを介してコネクタ基板６３ｃに接続されている。
【００３１】
また、図１及び図２に示すように、上面板５４における左右方向のほぼ中央部分は、上部ケース５の上面に露出するようにスイッチ部６１及び表示部６２が設けられたコンソール部６０となっている。
上面板５４に設けられるスイッチ部６１は、例えば電源スイッチ、音量スイッチ、音色スイッチ、ファンクションスイッチ等、鍵盤楽器に必要な操作を行う各種のスイッチからなる。また、表示部６２は、鍵盤楽器に必要な各種の情報を表示するように構成されている。
スイッチ部６１は、表示部６２の周囲に配列された状態で設けられている。
【００３２】
図３（ａ）に示すように、上面板５４には貫通孔である複数の取付部５４１ａ及び表示配置部５４２が形成されている。
上面板５４の下面（内側面）には、電子部品６（第１電子部品、図３（ｂ）参照）としての第２基板６３（これをコンソール基板６３ｂという。）が取り付けられている。
図３（ｂ）に示すように、本実施形態のコンソール基板６３ｂには、各取付部５４１ａに対応する位置にスイッチ部材６１ａが実装されており、表示配置部５４２に対応する位置には表示ユニット６２ａが実装されている。表示ユニット６２ａは、例えば液晶表示パネルやＥＬ（エレクトロ・ルミネッセンス）表示パネル等の平面型の表示パネルを有するものである。
そして、スイッチ部材６１ａ及び表示ユニット６２ａが実装された状態のコンソール基板６３ｂが上面板５４の所定位置に取り付けられることにより、各取付部５４１ａからスイッチ部材６１ａの一部が露出し、表示ユニット６２ａの表示パネル部分が表示配置部５４２から露出するようになっている。
【００３３】
また、側面部５３（本実施形態では、図１等における左側の側面部５３）の上面には、貫通孔である取付部５４１ｂが形成されている。取付部５４１ｂには回転操作部材６１ｂが取り付けられるようになっており、回転式のスイッチ部６１が構成される。
側面部５３の上面に設けられる回転式のスイッチ部６１は、例えば鍵盤ユニット２の各鍵２１を打鍵操作して演奏している最中に操作することにより、演奏中の楽音にピッチベンダ効果やモジュレーション効果等を付与するためのものである。
図３（ｂ）に示すように、回転式のスイッチ部６１は、ケーブル６５を介して主回路基板６３ａと電気的に接続されている。
【００３４】
図８は、電子鍵盤楽器の背面図であり、左右方向のほぼ中央部（コンソール部６０が設けられる部分及びその周辺部）を切り欠いて内部構成を示したものである。また、図９は、図８において切り欠いて示した電子鍵盤楽器の背面側の構成を拡大した要部斜視図である。
図８及び図９に示すように、本実施形態では、背面板５１に設けられる主回路基板６３ａとほぼ直交するように、電子部品６（第１電子部品）であるコンソール基板６３ｂが配置されている。また、このコンソール基板６３ｂと重なり合うように、電子部品６（第２電子部品）であるコネクタ基板６３ｃが重畳配置されている。
具体的には、前述のように、上面板５４の下面（内側面）には、スイッチ部材６１ａや表示ユニット６２ａを搭載したコンソール基板６３ｂが取り付けられており、コネクタ基板６３ｃは、このコンソール基板６３ｂの下面側に重畳配置される。
【００３５】
図１０は、上面板における基板（すなわち、コンソール基板及びコネクタ基板）の設けられている部分を下面（内側面）側から見た平面図である。
図１０に示すように、コネクタ基板６３ｃはコンソール基板６３ｂの一部と重なるようにコンソール基板６３ｂの下面側に設けられており、重畳方向の手前側に配置される基板６３（本実施形態では、コネクタ基板６３ｃ）には、重畳方向の奥側に配置される基板６３（本実施形態では、コンソール基板６３ｂ）における部品固定部（本実施形態ではねじ孔６９）に対応する部分に挿通部が形成されている。
本実施形態において、挿通部は、重畳方向の奥側に配置される基板６３を固定するねじのねじ孔６９を避けるように形成された切り欠き部６３２である。
なお、挿通部は切り欠き部に限定されず、孔部であってもよい。また、本実施形態では、ねじ孔６９を避ける位置のみでなく、重畳方向の奥側に配置される基板６３（コンソール基板６３ｂ）の下面側に設けられている配線パターン等の構成部を避ける位置にも挿通部である切り欠き部６３２が適宜設けられている。これにより、コンソール基板６３ｂに設けられている配線パターン等を傷つけることなく、コンソール基板６３ｂ及びコネクタ基板６３ｃをほぼ平行して無駄な隙間をあけることなく重ね合わせることができる。
【００３６】
次に、本実施形態における電子鍵盤楽器１の作用（電子鍵盤楽器１の製造方法）について説明する。
【００３７】
電子鍵盤楽器１を組み立てる際は、まず、金型を用いて下部ケース３及び上部ケース５を樹脂等により一体成型する。
このとき、下部ケース３に形成されるボス部３１は同じ向きに立設される。
また、鍵シャーシ２２に、複数の鍵２１と、各鍵２１に対応するハンマー部材を組付けて鍵盤ユニット２を構成する。
【００３８】
上部ケース５の背面板５１の内側面（すなわち、楽器前方に向く面）であって、ほぼ中央部に第１基板６３（主回路基板６３ａ）を取り付ける。このとき、部品固定部であるねじ固定部としてのボス部５１１の設けられている位置に主回路基板６３ａのねじ孔６３１が合うように位置を合わせて主回路基板６３ａを配置し、ねじ締め方向Ｄに沿ってねじ孔６３１からねじ６７を挿通させて背面板５１のボス部５１１のねじ孔５１１ａに螺着させることにより、ねじ６７によって、背面板５１に主回路基板６３ａをねじ止め固定する。
また、背面板５１の内側面であって、左右の両端部にそれぞれスピーカ６４を取り付ける。このとき、部品固定部であるねじ固定部としてのボス部５１２の設けられている位置にスピーカ６４のねじ孔６４１が合うように位置を合わせてスピーカ６４を配置し、ねじ締め方向Ｄに沿ってねじ孔６４１からねじ６８を挿通させて背面板５１のボス部５１２のねじ孔５１２ａに螺着させることにより、ねじ６８によって、背面板５１にスピーカ６４をねじ止め固定する。
【００３９】
本実施形態において、これらのねじ止め固定は、自動ねじ締め機（図示せず）を用いて一括に行われる。自動ねじ締め機は、例えばねじに係合するビット（ドライバビット）を備え、自動制御によりねじ締結を行うものであり、対象に対して直線的にアクセスする一軸構成のものが適用される。
すなわち、例えば、主回路基板６３ａ及びスピーカ６４を背面板５１の所定位置に配置した上で、自動ねじ締め機を作動させ、主回路基板６３ａを固定するねじ６７及びスピーカ６４を固定するねじ６８を自動ねじ締め機のドライバビットによって一括して締結する。
前述のように、本実施形態のねじ固定部であるボス部５１１及びボス部５１２は、前面板５２を避けて対向方向において前面板５２と重なり合わない位置に前面板５２を挟むように上下に分散配置されている。
このため、例えば自動ねじ締め機が一軸構成であり、背面板５１と前面板５２との対向方向から部品固定部であるねじ固定部（すなわち、ボス部５１１及びボス部５１２）に対して直線的にアクセスするものである場合でも、前面板５２等に干渉されずに直線的にアクセスすることができ、適切にねじ６７及びねじ６８を締結することができる。
なお、ねじ締めは、自動ねじ締め機による場合に限定されず、ドライバを用いて手動で行う場合等を排除するものではない。
【００４０】
そして、ケーブル６５を介して各スピーカ６４を主回路基板６３ａと電気的に接続する。
さらに、側面部５３（本実施形態では左側の側面部５３）の取付部５４１ｂに回転操作部材６１ｂを取り付け、回転式のスイッチ部６１を構成する。回転操作部材６１ｂはケーブル６５を介して主回路基板６３ａと電気的に接続される。
【００４１】
また、第２基板６３（コンソール基板６３ｂ）にスイッチ部材６１ａ及び表示ユニット６２ａを実装し、当該実装状態のままコンソール基板６３ｂを上部ケース５の上面板５４の内側面（すなわち、下側面）であって、ほぼ中央部に取り付ける。これにより、スイッチ部材６１ａの一端側が取付部５４１ａから露出するとともに、表示ユニット６２ａが表示配置部５４２に外部から視認可能に配置される。これにより、上面板５４の外装面にコンソール部６０が構成される。
コンソール基板６３ｂを取り付ける際には、部品固定部であるねじ固定部５４５の設けられている位置にコンソール基板６３ｂのねじ孔が合うように位置を合わせてコンソール基板６３ｂを配置し、ねじ孔からねじ６９を挿通させて上面板５４のねじ固定部５４５に螺着させることにより、ねじ６９によって、上面板５４にコンソール基板６３ｂをねじ止め固定する。
【００４２】
さらに、本実施形態では、背面板５１等に設けられるコネクタ端子８等が電気的に接続されるコネクタ基板６３ｃが第３基板６３として、第２基板６３としてのコンソール基板６３ｂに重畳するように設けられる。
コネクタ基板６３ｃは、コンソール基板６３ｂと重ね合わされたまま、ねじ６９によって共締めされる。
本実施形態において、コンソール基板６３ｂのみを固定したいねじ固定部５４５に対応する部分やコネクタ基板６３ｃを重ね合わせたくない部分（例えば配線パターンが設けられている部分等）に対応する部分には、挿通部としての切り欠き部６３２が設けられており、適宜ねじ固定部５４５等を避けるようになっている。
【００４３】
本実施形態では、コンソール基板６３ｂ及びコネクタ基板６３ｃのねじ止め固定についても、自動ねじ締め機を用いて、一括に行われる。
これにより、ねじ固定箇所が多数ある場合でも迅速にコンソール基板６３ｂ及びコネクタ基板６３ｃの固定を行うことができる。
また、コネクタ基板６３ｃは、フラットケーブル６６によって主回路基板６３ａと電気的に接続される。
【００４４】
上部ケース５に、電子部品６としての基板６３（すなわち、本実施形態では、主回路基板６３ａ，コンソール基板６３ｂ，コネクタ基板６３ｃ）及びスピーカ６４等が取り付けられると、下部ケース３の上に鍵盤ユニット２を配置し、上方から上部ケース５を配置する。
これにより、鍵盤ユニット２の前側の下部が上部ケース５の前面板５２によって覆われる。また、鍵盤ユニット２の後方が上部ケース５の背面板５１によって覆われ、鍵盤ユニット２の後部側上面が上部ケース５の上面板５４によって覆われた状態となる。
この状態で、背面板５１が下になるように楽器全体を倒して、電子鍵盤楽器１の底面側（すなわち、下部ケース３の裏面側）から、下部ケース３と上部ケース５とを固定するねじ７１，７２及び下部ケース３と鍵盤ユニット２とを固定するねじ７３を、自動ねじ締め機を用いて、一括にねじ止め固定する。
これによって、電子鍵盤楽器１が完成する。
【００４５】
以上のように、本実施形態によれば、楽器ケース３０を構成する上部ケース５が枠状に形成されている。
このため、ピアノにおける口棒に相当する電子鍵盤楽器１の前面部分に部材間の接合部分が現れず、楽器としての外観に優れる。
また、楽器ケース３０が下部ケース３と上部ケース５の２つの部材で構成され、特に鍵盤ユニット２の収容空間を形成する上部ケース５が一繋がりの枠状体となっていることにより、上部ケース５を複数の部材で構成する場合と比較して剛性が高く、例えば本実施形態のように、電子鍵盤楽器１がハンマー部材を有する鍵盤ユニット２を備える場合でも、十分にその重量に耐えることができる。
さらに、電子鍵盤楽器１の上部ケース５は、電子部品としての基板６３やスピーカ６４等の組付け時において、部品固定部としてのねじ固定部（本実施形態ではボス部５１１，５１２等）に対して、外部から直線的にアクセス可能となるように構成されている。
具体的には、電子部品６（第１電子部品）には、前面板５２の上下方向の幅Ｗ１よりも長い第１間隔Ｗ２で複数の貫通孔であるねじ孔６３１，６４１が設けられており、背面板５１には、ねじ孔６３１，６４１を通して電子部品６（第１電子部品）をねじ６７，６８で固定するためのねじ孔５１１ａ，５１２ａを有する部品固定部（ボス部５１１，５１２）が、第１間隔Ｗ２で上下方向に離間して複数設けられている。
このため、対象に対して直線的にアクセスすることしかできない一軸構成の自動ねじ締め機であっても、ねじ固定部（すなわち、ボス部５１１，５１２）にアクセスすることができ、一括して自動でねじ締めを行うことができる。また手動でねじ締めを行う場合にも、ドライバの軸等が前面板５２等に引っ掛からず円滑にねじ締め動作を行うことができる。
これにより、簡易迅速に電子鍵盤楽器１の組み立てを行うことができる。
【００４６】
また、本実施形態では、複数の部品固定部（ボス部５１１，５１２）のうちの下側に位置する部品固定部（ボス部５１１，５１２）のねじ孔５１１ａ，５１２ａのねじ締め方向Ｄの延長線上よりも、前面板５２の下部が上に位置し、複数の部品固定部（ボス部５１１，５１２）のうちの上側に位置する部品固定部（ボス部５１１，５１２）のねじ孔５１１ａ，５１２ａのねじ締め方向Ｄの延長線上よりも、前面板５２の上部が下に位置するように、第１ケースである上部ケース５が構成されている。これにより、下側に位置する部品固定部（ボス部５１１，５１２）のねじ孔５１１ａ，５１２ａのねじ締め方向Ｄと、上側に位置する部品固定部（ボス部５１１，５１２）のねじ孔５１１ａ，５１２ａのねじ締め方向Ｄとの上下方向における間隔（第１間隔Ｗ２）は前面板５２の上下方向の幅Ｗ２よりも長く（広く）なっている。
このため、電子部品６を背面板５１に取り付ける際に、前面板５２を避けてボス部５１１，５１２のねじ孔５１１ａ，５１２ａに直線的にアクセスすることが可能であり、対象に対して直線的にアクセスすることしかできない一軸構成の自動ねじ締め機であっても、一括して容易に自動でねじ締めを行うことができる。また手動でねじ締めを行う場合にも、ドライバの軸等が前面板５２等に引っ掛からず円滑にねじ締め動作を行うことができる。
これにより、簡易迅速に電子鍵盤楽器１の組み立てを行うことができる。
【００４７】
また、本実施形態では、嵌合部Ｓｕで形成される嵌合面Ｓｆに対して垂線を設定した場合に当該垂線に対して背面板５１が傾斜して設けられている。
これにより、背面板５１に設けられたボス部５１１，５１２のねじ孔５１１ａ，５１２ａに直線的にアクセスしやすく、容易にねじ締めを行うことができる。
【００４８】
また、本実施形態では、第２ケースである下部ケース３における第１ケースである上部ケース５との嵌合部Ｓｂにおいて、前側の嵌合部Ｓｂが後側の嵌合部Ｓｂよりも高い位置となるように、下部ケース３が構成されている。
これにより、前面板５２が背面板５１に完全には重ならないようになっており、背面板５１に設けられたボス部５１１，５１２のねじ孔５１１ａ，５１２ａに直線的にアクセスしやすく、容易にねじ締めを行うことができる。
【００４９】
また、本実施形態では、複数の部品固定部（ボス部５１１，５１２）それぞれのねじ孔５１１ａ，５１２ａにおけるねじ締め方向Ｄは、同一方向となっている。
このため、同じ角度から、一括してねじ締めを行うことができる。
【００５０】
また、本実施形態では、複数の部品固定部（ボス部５１１，５１２）それぞれのねじ孔５１１ａ，５１２ａにおけるねじ締め方向Ｄは、背面板５１に対して直交する方向となっている。
このため、背面板５１に設けられたボス部５１１，５１２のねじ孔５１１ａ，５１２ａに対に対して楽器の前側からアクセスでき、容易にねじ締めを行うことができる。
【００５１】
また、本実施形態の上部ケース５は、互いに対向する第１の板状部としての背面板５１と第２の板状部としての前面板５２とを有し、背面板５１には、電子部品６を固定する部品固定部（本実施形態では、ボス部５１１，５１２等のねじ固定部）が、背面板５１及び前面板５２を対向方向から見たときに前面板５２と重なり合わない位置に設けられている。
このため、対象に対して直線的にアクセスすることしかできない一軸構成の自動ねじ締め機であっても、ねじ固定部（すなわち、ボス部５１１，５１２）にアクセスすることができ、一括して自動でねじ締めを行うことができる。また手動でねじ締めを行う場合にも、容易に短時間でねじ締め動作を行うことができる。
【００５２】
また、本実施形態において、対向方向は、楽器本体の奥行方向である。
このため、例えば、図４及び図５（ａ）から図５（ｃ）に示すように、上部ケース５を前面側（すなわち、正面）から見たときに、ねじ固定部（すなわち、ボス部５１１，５１２）が前面板５２に隠れずに、その位置を見通すことができる。そして、上部ケース５を前面側から自動ねじ締め機のドライバビットを直線的に差し込むことで、自動ねじ締め機を用いて容易に電子部品６のねじ固定を行うことができる。
【００５３】
また、本実施形態において、部品固定部であるねじ固定部（すなわち、ボス部５１１，５１２等）は、第２の板状部としての前面板５２を短幅方向に挟むような位置関係、かつ、前面板５２の短幅方向の幅よりも広い間隔で、第１の板状部としての背面板５１に複数設けられている。
このため、本実施形態のように、上部ケース５を周方向に接合部のない一繋がりの枠状体とした場合にも、前面板５２に阻害されずに背面板５１に設けられたボス部５１１，５１２等のねじ固定部に直線的にアクセスすることができ、一軸構成の自動ねじ締め機であっても一括して自動でねじ締めを行うことができる。
【００５４】
また、本実施形態において、電子部品６のうち少なくとも一部（本実施形態では、第２基板６３であるコンソール基板６３ｂと第３基板６３であるコネクタ基板６３ｃ）は、複数重なり合って重畳配置され、電子部品６の重畳方向（本実施形態では、図１及び図２における上下方向）の手前側に配置される電子部品６（本実施形態では、第３基板６３であるコネクタ基板６３ｃ）には、重畳方向の奥側に配置される電子部品６（本実施形態では、第２基板６３であるコンソール基板６３ｂ）における部品固定部であるねじ固定部５４５に対応する部分に挿通部としての切り欠き部６３２が形成されている。
このため、電子部品６が一部重畳される場合にも、重畳方向の奥側に配置される電子部品６も含めてすべての電子部品６を適切にねじ止め固定することができる。
【００５５】
また、本実施形態では、少なくとも一部の電子部品６を重畳配置することで、電子鍵盤楽器１の幅方向のほぼ中央部分に、基板６３等の電子部品６を集中して配置することができる。
各種のジャックやコネクタ端子８等は楽器全体の中央部に配置されることがユーザにとって使いやすい。また、コンソール部６０も楽器全体の中央部に配置されることが見やすく、操作もしやすいため、ユーザにとって使いやすい。そして、ジャックやコネクタ端子８等やコンソール部６０等は、電子部品６である基板６３と電気的に接続される必要があるが、基板６３との距離が遠くなり接続するケーブル６５の長さが長くなるほど、ノイズが乗りやすく好ましくない。
この点、本実施形態のように、基板６３を楽器全体の中央部に集中して配置した場合には、ジャックやコネクタ端子８等やコンソール部６０等をユーザの使いやすい位置に配置しつつ、ノイズも乗りにくい構成とすることができる。
【００５６】
なお、以上本発明の実施形態について説明したが、本発明は、かかる実施形態に限定されず、その要旨を逸脱しない範囲で、種々変形が可能であることは言うまでもない。
【００５７】
例えば、本実施形態では、部品固定部としてのボス部５１１及びボス部５１２は、背面板５１の面方向に直交する楽器の前方に向かって突出して形成されており、内部にねじ孔が形成されたねじ止め固定部である場合を例示したが、部品固定部としてのボス部５１１及びボス部５１２の突出する向きは背面板５１の面方向に直交する楽器の前方に限定されない。
例えば、部品固定部は、斜め上向き、斜め下向き等、斜めに角度が設けられていてもよい。この場合、前面板５２と重なり合わない部分が背面板５１に生じるように、部品固定部の角度に応じて、第１の板状部としての背面板５１と第２の板状部としての前面板５２との位置を調整する。
また、本実施形態では、ねじ締め方向Ｄが背面板５１に対して直交する方向である場合を例示したが、ねじ締め方向Ｄはこれに限定されない。
さらに、本実施形態では、複数のねじ孔５１１ａ，５１２ａについてねじ締め方向Ｄが同一方向である場合を例示したが、部品固定部（本実施形態ではボス部５１１，５１２等）の角度を場所によって異ならせてもよく、この場合にはねじ締め方向Ｄも部品固定部の角度に応じた各方向となる。
なお、下部ケース３及び上部ケース５を、金型を用いた一体成型にて形成する場合、金型製造の観点からは、部品固定部の角度はすべて同じ方向に統一することが好ましく、この場合には、ねじ締め方向Ｄもすべて同一方向となる。
【００５８】
また、本実施形態では、前面板５２と背面板５１とが平行である場合を例示したが、前面板５２と背面板５１とは必ずしも平行でなくともよい。
さらに、本実施形態では、前面板５２と背面板５１とが楽器ケースの上面３０ａに対してほぼ垂直である場合を例示したが、前面板５２と背面板５１とが楽器ケースの上面３０ａに対してなす角度はこれに限定されない。
また、本実施形態では、楽器ケースの上面３０ａと楽器ケースの下面３０ｂとが、上部ケース５と下部ケース３とを嵌合させた状態においてほぼ平行となっている場合を例示したが、楽器ケース３０の外形形状はこれに限定されない。例えば、上面３０ａが下面３０ｂに対して、後方から前方に向かって低くなるように傾斜していてもよい。
その他、楽器ケース３０や電子鍵盤楽器１の外形形状は、適宜変更可能である。
【００５９】
また、本実施形態では、電子部品６として、３つの基板６３（すなわち、主回路基板６３ａ，コンソール基板６３ｂ，コネクタ基板６３ｃ）と、一対のスピーカ６４が設けられている場合を例示したが、電子部品６はこれ以外ものを含んでいてもよい。
例えば、一対のスピーカ６４の他に、高音域に特化して出力させる高音域用スピーカであるツィータや、低音域に特化して出力させる低音域用スピーカであるウーハ等が設けられていてもよい。
また、基板６３の数は２つ以下であってもよい。
【００６０】
また、第１電子部品と第２電子部品とは、そのうち少なくとも一部が複数重なり合って重畳配置されていればよく、スピーカ６４の一部が重なっていてもよい。また、基板６３にスピーカ６４が一部において重なり合っていてもよい。
さらに、電子部品６が重畳配置される構成は必須ではなく、このような構成を備えないものも本発明の範囲に含まれる。
【００６１】
また、本実施形態では、部品固定部がねじ固定部であるボス部５１１及びボス部５１２等である場合を例示したが、部品固定部はボス部等に限定されず、単なる孔部や、ビス等が締結される凹部等であってもよい。
さらに、電子部品６はねじ固定されるものに限定されず、接着剤による接着固定や溶接による溶着固定等により固定されるものであってもよい。
【００６２】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の鍵を備える鍵盤ユニットと、
前記鍵盤ユニットを収容するとともに、前記鍵盤ユニットの前側に位置する前面板と、前記鍵盤ユニットの後側に位置する背面板とを有する第１ケースと、
前記前面板の上下方向の幅よりも長い第１間隔で複数の貫通孔が設けられた第１電子部品と、
を備え、
前記背面板には、前記貫通孔を通して前記第１電子部品をねじで固定するためのねじ孔を有する部品固定部が、前記第１間隔で上下方向に離間して複数設けられ、
複数の前記ねじ孔それぞれのねじ締め方向の延長線上に前記前面板が位置しないような位置関係で、前記第１ケースにおける前記前面板と複数の前記部品固定部が設けられている、
電子鍵盤楽器。
＜請求項２＞
前記第１ケースは上部ケースであり、前記上部ケースの下側に嵌合される下部ケースである第２ケースをさらに備え、
前記第１ケースは、前記複数の鍵を露出させる第１開口部と、前記第２ケースを嵌合させる嵌合部に設けられた第２開口部と、を有し、
前記前面板は、前記第１開口部における前記鍵盤ユニットの前端側から垂設されており、
前記前面板の下部は、前記嵌合部の一部を構成し、
複数の前記部品固定部のうちの下側に位置する前記部品固定部の前記ねじ孔のねじ締め方向の延長線上よりも、前記前面板の下部が上に位置し、
複数の前記部品固定部のうちの上側に位置する前記部品固定部の前記ねじ孔のねじ締め方向の延長線上よりも、前記前面板の上部が下に位置するように、前記第１ケースが構成されている、
請求項１に記載の電子鍵盤楽器。
＜請求項３＞
前記嵌合部で形成される嵌合面に対して垂線を設定した場合に当該垂線に対して前記背面板が傾斜して設けられている、
請求項２に記載の電子鍵盤楽器。
＜請求項４＞
前記第２ケースにおける前記第１ケースとの嵌合部は、前側の嵌合部が後側の嵌合部よりも高い位置となるように、前記第２ケースが構成されている、
請求項２又は請求項３に記載の電子鍵盤楽器。
＜請求項５＞
複数の前記部品固定部それぞれのねじ孔におけるねじ締め方向は、同一方向である、
請求項１から４のいずれか一項に記載の電子鍵盤楽器。
＜請求項６＞
複数の前記部品固定部それぞれのねじ孔におけるねじ締め方向は、前記背面板に対して直交する方向である、
請求項５に記載の電子鍵盤楽器。
＜請求項７＞
前記第１電子部品は、スピーカである、請求項１から請求項６のいずれか一項に記載の電子鍵盤楽器。
＜請求項８＞
前記第１電子部品は、回路基板である、請求項１から請求項６のいずれか一項に記載の電子鍵盤楽器。
＜請求項９＞
回路基板である第２電子部品をさらに有し、
前記第１電子部品と前記第２電子部品は、少なくとも一部が重なり合って重畳配置され、
前記重畳方向の手前側に配置される前記第２電子部品には、前記重畳方向の奥側に配置される前記第１電子部品における前記部品固定部に対応する部分に挿通部が形成されている請求項１から請求項８のいずれか一項に記載の電子鍵盤楽器。
＜請求項１０＞
複数の鍵を備える鍵盤ユニットと、前面板と背面板とを有する枠状の第１ケースと、前記前面板の上下方向の幅よりも広い第１間隔で複数の貫通孔が設けられた第１電子部品と、を備える電子鍵盤楽器の製造方法であって、
前記背面板には、前記貫通孔を通して前記第１電子部品をねじで固定するためのねじ孔を有する部品固定部が、前記第１間隔で上下方向に分散して複数設けられ、
複数の前記ねじ孔それぞれのねじ締め方向の延長線上に前記前面板が位置しないように、前記第１ケースが構成されており、
前記電子鍵盤楽器の組み立て時において、
複数の前記部品固定部それぞれのねじ孔に挿入されるねじに対して、前記第１ケースの外部から直線的にねじ締め機でアクセスしてねじ締めを行う、
電子鍵盤楽器の製造方法。
【符号の説明】
【００６３】
１        電子鍵盤楽器
２        鍵盤ユニット
３        下部ケース
５        上部ケース
６        電子部品
３０      楽器ケース
５１      背面板
５２      前面板
５３      側面部
５４      上面板
６３ａ    主回路基板
６３ｂ    コンソール基板
６３ｃ    コネクタ基板
６４      スピーカ
５１１    ボス部
５１２    ボス部
５４５    ねじ固定部
【図１】
2020064194.tif 000003
【図２】
2020064194.tif 000004
【図３】
2020064194.tif 000005
【図４】
2020064194.tif 000006
【図５】
2020064194.tif 000007
【図６】
2020064194.tif 000008
【図７】
2020064194.tif 000009
【図８】
2020064194.tif 000010
【図９】
2020064194.tif 000011
【図１０】
2020064194.tif 000012